(57)【要約】【課題】ケーシング内で発生した排水が便器のボウル内で水跳ねすることを抑制できるトイレ装置を提供することを目的とする。【解決手段】ボウルと、上面に形成され前記ボウルに連通する凹部と、を有する便器と、下方に向かって凹形状に形成された凹設部を有するケースプレートと、を備え、前記凹設部は、前記便器の凹部に格納され、前記ケースプレートに設置された機器からの排水を前記ボウル内に排出し、前記排水の水勢を抑制する突壁を有することを特徴とするトイレ装置が提供される。【選択図】図３
2010116729.tif 000002
【特許請求の範囲】
【請求項１】
ボウルと、上面に形成され前記ボウルに連通する凹部と、を有する便器と、
下方に向かって凹形状に形成された凹設部を有するケースプレートと、
を備え、
前記凹設部は、前記便器の凹部に格納され、前記ケースプレートに設置された機器からの排水を前記ボウル内に排出し、前記排水の水勢を抑制する突壁を有することを特徴とするトイレ装置。
【請求項２】
前記ボウルの内外に進退する洗浄ノズルの少なくとも一部が前記凹設部に配設されたことを特徴とする請求項１記載のトイレ装置。
【請求項３】
前記凹設部の前端は、前記ボウルの内壁面から突出していないことを特徴とする請求項１または２に記載のトイレ装置。
【請求項４】
前記凹設部は、後端部から前端部に向かって低くなるように傾斜し、
前記突壁は、前記前端部近傍に設置されたことを特徴とする請求項１〜３のいずれか１つに記載のトイレ装置。
【請求項５】
前記ケースプレートは、前記凹設部の前端部を覆うシャッターをさらに有し、
前記凹設部は、前記前端部に形成された切り欠き部をさらに有することを特徴とする請求項１〜４のいずれか１つに記載のトイレ装置。
【発明の詳細な説明】
【技術分野】
【０００１】
本発明の態様は、一般的に、トイレ装置に関し、具体的には洋式腰掛便器に腰かけた使用者の「おしり」などを水で洗浄可能としたトイレ装置に関する。
【背景技術】
【０００２】
洗浄水を噴射する洗浄ノズルを進退自在に収納し、洋式腰掛便器（以下、単に「便器」と称する）の便座に座った使用者の「おしり」などを洗浄する機能（局部洗浄機能）を設けたトイレ装置がある。このようなトイレ装置の中には、局部洗浄機能などの機能部を内蔵し、便器よりも上方に設けられたケーシングの高さをより低く抑えるために、洗浄ノズルを便器に沈み込ませたトイレ装置がある（特許文献１）。特許文献１に記載された局部洗浄便器では、便鉢内へ臨む便器本体の後部上面に、便鉢内空間に向かって下り勾配の凹溝部を設けて、その凹溝部に洗浄ノズルの一部を収納配置している。
【０００３】
また、局部洗浄機能などの機能部を内蔵したケーシングの内部では、様々な種類の排水が発生する。これは、例えば、余剰に供給される余剰給水や、機能部に発生する結露水などである。そこで、給水源と洗浄ノズルとの間において、排水用切り欠きを有するリザーブタンクが設けられ、リザーブタンク内に余剰に供給された余剰水を排水用切り欠きから排水する衛生洗浄装置がある（特許文献２）。特許文献２に記載された装置では、排水用切り欠きから排水された余剰水は、装置の本体下ケースに形成された樋状排水路に沿って流れた後に、樋状排水路に設けられた排水口より便器本体内に排水される。
【０００４】
しかしながら、ケーシングに設けられた排水口から排水を排出する場合には、その排水の流量が多くなると、大量の排水が便器のボウルに落とされるため、水跳ねを生ずるおそれがある。一方、前述した便器に設けられた凹溝部から排水を排出する場合であっても、大量の排水が凹溝部の端部からボウルの中央に向かって排出されるため、水跳ねを生ずるおそれがある。
【特許文献１】実公平２−１３５８９号公報
【特許文献２】特開平８−１２０７３３号公報
【発明の開示】
【発明が解決しようとする課題】
【０００５】
本発明は、かかる課題の認識に基づいてなされたものであり、ケーシング内で発生した排水を便器のボウル内に水跳ねせずに排出可能なトイレ装置を提供することを目的とする。
【課題を解決するための手段】
【０００６】
第１の発明は、ボウルと、上面に形成され前記ボウルに連通する凹部と、を有する便器と、下方に向かって凹形状に形成された凹設部を有するケースプレートと、を備え、前記凹設部は、前記便器の凹部に格納され、前記ケースプレートに設置された機器からの排水を前記ボウル内に排出し、前記排水の水勢を抑制する突壁を有することを特徴とするトイレ装置である。  
このトイレ装置によれば、ケースプレートに設置された機器からの排水は、水勢を抑制された状態でボウル内に排出されるため、ボウル表面を伝って溜水に排出される。そのため、排水の流量が多い場合であっても、排水がボウル内で水跳ねすることを抑制することができる。
【０００７】
また、第２の発明は、第１の発明において、前記ボウルの内外に進退する洗浄ノズルの少なくとも一部が前記凹設部に配設されたことを特徴とするトイレ装置である。  
このトイレ装置によれば、洗浄ノズルが、ボウル内に進出している場合と、ボウル内から後退している場合と、にかかわらず、排水は、突壁により水勢を抑制されているため、洗浄ノズルに接触して伝わるおそれは少ない。そのため、洗浄ノズルを伝った排水が、ボウル内で水跳ねすることを抑制することができる。
【０００８】
また、第３の発明は、第１または第２の発明において、前記凹設部の前端は、前記ボウルの内壁面から突出していないことを特徴とするトイレ装置である。  
このトイレ装置によれば、凹設部の前端部近傍おけるボウル表面が鉛直方向に設けられた場合であっても、排水は、ボウル表面を伝って溜水に排出される。そのため、排水がボウル内で水跳ねすることを抑制することができる。
【０００９】
また、第４の発明は、第１〜第３のいずれか１つの発明において、前記凹設部は、後端部から前端部に向かって低くなるように傾斜し、前記突壁は、前記前端部近傍に設置されたことを特徴とするトイレ装置である。  
このトイレ装置によれば、突壁が凹設部の前端部近傍に設置されているため、排水の水勢を抑制した状態でボウル内に排出することができる。また、凹設部は、後端部から前端部に向かって低くなるように傾斜しているため、突壁により水勢を抑制された排水であっても、突壁近傍で滞留させることなくボウル内に排出することができる。
【００１０】
また、第５の発明は、第１〜第４のいずれか１つの発明において、前記ケースプレートは、前記凹設部の前端部を覆うシャッターをさらに有し、前記凹設部は、前記前端部に形成された切り欠き部をさらに有することを特徴とするトイレ装置である。  
このトイレ装置によれば、凹設部の前端部を覆うシャッターが閉じていても、切り欠き部から排水をボウル内に排出することができる。
【発明の効果】
【００１１】
本発明の態様によれば、ケーシング内で発生した排水を便器のボウル内に水跳ねせずに排出可能なトイレ装置が提供される。
【発明を実施するための最良の形態】
【００１２】
以下、本発明の実施の形態について図面を参照しつつ説明する。なお、各図面中、同様の構成要素には同一の符号を付して詳細な説明は適宜省略する。  
図１は、本発明の実施の形態にかかるトイレ装置を表した斜視模式図である。  
なお、図１（ａ）は、洗浄ノズルがケーシング内に収納された状態を表す斜視模式図であり、図１（ｂ）は、洗浄ノズルがケーシング内から進出した状態を表す斜視模式図である。
【００１３】
本実施形態のトイレ装置は、洋式腰掛便器（以下、単に「便器」と称す）１００と、その後方上部に設けられたケーシング２００と、を備える。ケーシング２００は、ケースカバー２１０とケースプレート２２０とを有する。ケーシング２００の内部、すなわちケースカバー２１０とケースプレート２２０との内部には、例えば、図示しない便座に座った使用者の「おしり」などの洗浄を実現する局部洗浄機能部などが内蔵されている。この場合、局部洗浄機能部の機器は、ケースプレート２２０に設置され、その上をケースカバー２１０により覆われている。なお、図示しない便座および便蓋は、ケースカバー２１０に設けられた軸支部２１１、２１３において、ケーシング２００に対して開閉自在にそれぞれ軸支されている。
【００１４】
ケーシング２００の上部には、使用者が便座に座ったことを検知する着座センサ２１５が設けられている。着座センサ２１５が便座に座った使用者を検知している場合において、使用者が図示しないスイッチを操作すると、図１（ｂ）に表したように、洗浄ノズル２４１を便器１００のボウル１０１内に進出させることができる。なお、洗浄ノズル２４１は、ケースプレート２２０に設けられたシャッター２２１を押し上げてボウル１０１内に進出することができる。また、洗浄ノズル２４１の先端部には、ひとつあるいは複数の吐水口２４３が設けられている。
【００１５】
続いて、洗浄ノズル２４１は、その先端部に設けられた吐水口２４３から水を噴射して、便座に座った使用者の「おしり」などを洗浄することができる。なお、本願明細書において「水」という場合には、冷水のみならず、加熱されたお湯も含むものとする。
【００１６】
また、ケーシング２００の内部には、例えば、便器１００のボウル１０１内の空気を吸い込み、フィルタや触媒などを介して臭気成分を低減させる脱臭機能部や、便座に座った使用者の「おしり」などに向けて温風を吹き付けて乾燥させる温風乾燥機能部や、トイレ室内に温風を吹き出してトイレ室を暖房する室内暖房機能部などが内蔵されていてもよい。但し、脱臭機能部や温風乾燥機能部や室内暖房機能部などは、必ずしも設けなくてもよい。
【００１７】
図２は、本実施形態にかかるトイレ装置の水路構成を表すブロック図である。  
水道管５００に接続された止水栓５０１と、給水バルブユニット２７０と、は可撓性を有するフレキホース５０２で接続されている。給水バルブユニット２７０は、上流への水の逆流を防ぐ逆止弁２７１と、水中の異物を捕捉するストレーナ２７２と、給水圧にかかわらず水の流量を一定に保つ定流量弁２７３と、通電により開弁して下流への通水／止水を選択的に切り替える電磁弁２７４と、を有する。
【００１８】
電磁弁２７４を通過した水は、入口配管５０３を経て、流入口２８１から開放式タンク２８０内に流入する。流入した水は開放式タンク２８０内に貯留するが、その水位がＨ２を超えると、開放式タンク２８０に設けられたオーバーフロー口２８３から、矢印ＯＦのように余剰水が外部へと流出する（オーバーフロー）。
【００１９】
すなわち、流入口２８１とオーバーフロー口２８３との間にエアギャップＡ１が形成され、開放式タンク２８０内の水位が上昇しても、貯留されている水が流入口２８１まで至ることはない。これによって、開放式タンク２８０から上流への水の逆流防止が図られている。また、オーバーフロー口２８３から便器１００のリム面までには高さＡ２の距離があり、これもエアギャップとして機能している。これによって、ボウル１０１内で汚水が跳ね、オーバーフロー口２８３から開放式タンク２８０内に浸入してしまう事態の発生を抑制している。なお、ボウル１０１内での水跳ねについては、後に詳述する。
【００２０】
流出口２８２に接続される出口配管５０４の下流には、洗浄用ポンプ２９１が接続されている。洗浄用ポンプ２９１は、流出口２８２から開放式タンク２８０内の水を汲み出して下流に供給するとともに、流量（水勢）の調節も可能とされている。
【００２１】
洗浄用ポンプ２９１の下流には、熱交換器２５０が設けられている。熱交換器２５０は、例えばシーズヒータなどの加熱源であるヒータ２５１を備えており、上流の洗浄用ポンプ２９１から供給される水を貯留して加熱する。洗浄用ポンプ２９１から水が供給されると、熱交換器２５０の上部に設けられた出湯口２５２から、加熱された水が押し出されて流出する。また、熱交換器２５０の内部には、貯水の水位を検知するフロートスイッチ２５６が設けられている。このフロートスイッチ２５６は、検知される水位が所定水位以下である場合にはヒータ２５１の駆動を停止する（空焚き防止機能）。
【００２２】
熱交換器２５０の下流には、切替弁２９２と、洗浄ノズル２４１と、が設けられている。熱交換器２５０の出湯口２５２から流出した水は、切替弁２９２によって、その供給先を洗浄ノズル２４１に設けられた複数の吐水口２４３のいずれかに切り替えられる。なお、吐水口２４３がひとつしか設けられていない場合には、切替弁２９２は設けられていなくともよい。使用者は、洗浄ノズル２４１から吐出される水の水勢及び温度を好みに応じて変更することが可能であり、図示しないリモコンにより洗浄用ポンプ２９１の駆動状態やヒータ２５１の加熱量を調節する。
【００２３】
以上のように構成することで、開放式タンク２８０内に貯留されている水は、洗浄用ポンプ２９１によって汲み出される。そして、使用者は、洗浄用ポンプ２９１から汲み出されて洗浄ノズル２４１から吐出される水の流量を好みに応じて調整できる。したがって、流入口２８１から開放式タンク２８０内に流入する水の流量に対し、洗浄用ポンプ２９１によって汲み出され流出口２８２から流出する水の流量が相対的に小さい場合には、開放式タンク２８０内に貯留されている水の水位が上昇してＨ２を超え、オーバーフロー口２８３から矢印ＯＦのように余剰水として流出する。この余剰水は、後に詳述するように、便器１００のボウル１０１内に排出され、便器１００の排水時にボウル１０１内の水とともに排出される。
【００２４】
ボウル１０１内に排出される水は、オーバーフロー口２８３からの余剰水だけではない。例えば、洗浄ノズル２４１をケーシング２００から進出させる前に吐水口２４３を洗浄（前洗浄）した水や、洗浄ノズル２４１をケーシング２００に収納した後に吐水口２４３を洗浄（後洗浄）した水なども、便器１００のボウル１０１内に排出される。また、洗浄ノズル２４１の進退時にその胴体を洗浄（胴体洗浄）した水も、便器１００のボウル１０１内に排出される。さらに、ケーシング２００に内蔵された局部洗浄機能部の機能部材などから生じた結露水も、便器１００のボウル１０１内に排出される。これらのように、ケーシング２００内で発生した水であって、便器１００のボウル１０１内に排出される水を、本願明細書では「排水」と称する。
【００２５】
図３は、本実施形態のケースプレートを上方から眺めた平面模式図である。  
また、図４は、本実施形態の便器を表す斜視模式図である。  
ケースプレート２２０は、図３に表したように、下方に向かって凹形状に形成された凹設部２２３を有する。凹設部２２３は、ケースプレート２２０の一部に設けられ、その後端部２２３ａから前端部２２３ｂに向かって低くなるように傾斜している。一方、便器１００は、図４に表したように、その上面１０５において下方に向かって凹形状に形成された凹部１０３を有する。凹部１０３は、ボウル１０１と連通するように形成され、ケースプレート２２０に設けられた凹設部２２３と同様に、その後端部１０３ａから前端部１０３ｂに向かって低くなるように傾斜している。そして、ケースプレート２２０は、凹設部２２３が便器１００の凹部１０３に格納された状態で、便器１００の上面１０５に載置されている。
【００２６】
ケースプレート２２０の凹設部２２３は、前述したように、下方に向かって凹形状に形成され、後端部２２３ａから前端部２２３ｂに向かって低くなるように傾斜しているため、ケーシング２００内に設置された機器からの排水を、図３に表した矢印のように、ボウル１０１内に排出できる。つまり、凹設部２２３は、ケーシング２００内に設置された機器からの排水をボウル１０１内に排出する排水路として機能する。
【００２７】
凹設部２２３には、ケーシング２００の内部から外部に排出される排水の水勢を抑制する流出水勢抑制板（突壁）２２４が設けられている。すなわち、突壁２２４は、凹設部２２３の後端部２２３ａ側から前端部２２３ｂ側に向かって流れる排水の水勢を弱めることができる。また、凹設部２２３の前端部２２３ｂには、後端部２２３ａに向かって後退するように形成された切り欠き部２２５が設けられている。なお、突壁２２４は、水を通過させない板状であってもよいし、突壁２２４を通過する水量を制限するスリット状、網状、又は多孔質状であってもよい。
【００２８】
ケーシング２００内に設置された機器からの排水は、凹設部２２３の前端部２２３ｂに向かって流れ、突壁２２４に衝突する。続いて、突壁２２４に衝突した排水は、図３に表した矢印のように、水勢を抑制されて突壁２２４の両側を通る。突壁２２４の両側を通った水は、水勢を抑制された状態で切り欠き部２２５を通ってボウル１０１内に排出される。
【００２９】
これによれば、ケーシング２００内に設置された機器からの排水は、水勢を抑制された状態でボウル１０１内に排出されるため、ボウル１０１の内壁面を伝って溜水１１０に排出される。そのため、本実施形態にかかるトイレ装置は、排水の流量が多い場合であっても、排水が溜水１１０に直接的に落ちて水跳ねすることを抑制することができる。また、排水は、ボウル１０１の内壁面を伝って溜水１１０に排出されるため、本実施形態にかかるトイレ装置は、ボウル１０１の内壁面で水跳ねすることを抑制することができる。なお、本願明細書において「水跳ね」という場合には、溜水１１０による水跳ねのみならず、ボウル１０１の内壁面によって生ずる水跳ねも含むものとする。
【００３０】
なお、凹設部２２３には、ボウル１０１の内外に進退する洗浄ノズル２４１の少なくとも一部が配設されている。そして、その洗浄ノズル２４１を有するノズルユニットは、凹設部２２３に設けられた支持部２２６により支持されている。
【００３１】
次に、凹設部２２３の前端部２２３ｂ近傍について、さらに詳細に説明する。  
図５は、ケースプレートの凹設部の前端部近傍を表す模式図である。なお、図５（ａ）は、ケースプレートの凹設部の前端部近傍を側方から眺めた断面模式図であり、図３に表したＡ−Ａ断面図に相当する。また、図５（ｂ）は、ケースプレートの凹設部の前端部近傍を上方から眺めた断面模式図であり、図５（ａ）に表したＢ−Ｂ断面図に相当する。  
また、図６は、本実施形態にかかるトイレ装置を側方から眺めた断面模式図である。なお、図６は、図１（ａ）に表したＣ−Ｃ断面図に相当する。
【００３２】
図３に関して前述したように、凹設部２２３には、ケーシング２００の内部から外部に排出される排水の水勢を抑制する突壁２２４が設けられている。突壁２２４は、図５（ｂ）に表したように、中央部の肉厚よりも両端部の肉厚の方が僅かに薄くなるように形成されている。つまり、突壁２２４の後面２２４ａは、中央部よりも両端部の方が前方に位置するように僅かに傾斜している。そのため、ケーシング２００内に設置された機器からの排水は、突壁２２４に衝突した後、突壁２２４を乗り越えることなく、突壁２２４の両端部に向かって滑らかに流れる。このとき、排水は、突壁２２４により水勢を抑制される。
【００３３】
続いて、突壁２２４の両端部の脇を通った排水は、切り欠き部２２５に向かって流れる。ここで、突壁２２４は、前端部２２３ｂの近傍、すなわち切り欠き部２２５の近傍に設けられているため、排水は、水勢を抑制された状態で切り欠き部２２５に向かって流れる。これに対して、突壁２２４が後端部２２３ａの近傍に設けられている場合には、排水の水勢は、突壁２２４により抑制されたとしても、排水が切り欠き部２２５に至るまでに再び増加するおそれがある。そのため、突壁２２４は、前端部２２３ｂの近傍、すなわち切り欠き部２２５の近傍に設けられることがより好ましい。
【００３４】
また、凹設部２２３は、後端部２２３ａから前端部２２３ｂに向かって低くなるように傾斜しているため、排水は、突壁２２４近傍で滞留することなく、切り欠き部２２５に向かって流れる。そして、その排水は、切り欠き部２２５を通って便器１００のボウル１０１内に排出される。
【００３５】
ここで、凹設部２２３の前端部２２３ｂは、図５（ａ）に表したように、ボウル内壁面１０１ａからボウル１０１内に突出していない。一方、切り欠き部２２５は、図３に関して前述したように、凹設部２２３の前端部２２３ｂにおいて、後端部２２３ａに向かって後退するように形成されている。そのため、切り欠き部２２５は、前端２２３ｂと同様に、ボウル内壁面１０１ａからボウル１０１内に突出していない。そのため、切り欠き部２２５を通った排水は、図５（ａ）に表した矢印のように、ボウル内壁面１０１ａを伝ってボウル１０１内に排出される。
【００３６】
また、ケースプレート２２０には、凹設部２２３の前端部２２３ｂを覆うように、シャッター２２１が取り付けられている。シャッター２２１は、後に詳述するように、ばねなどにより閉じる方向に付勢されている。また、シャッター２２１は、閉じた状態において凹設部２２３に向かって突出した突起部２２１ａを有する。この突起部２２１ａは、シャッター２２１が閉じている状態において、凹設部２２３の前端部２２３ｂに当接している。すなわち、突起部２２１ａが凹設部２２３の前端部２２３ｂに当接することにより、シャッター２２１の閉止位置は決定される。そのため、シャッター２２１の下端部と、切り欠き部２２５の後端部２２５ａと、は、図５（ａ）および図５（ｂ）に表したように離間している。したがって、シャッター２２１が閉じていても、排水は切り欠き部２２５を通ってボウル１０１内に排出される。
【００３７】
また、排水は、シャッター２２１が閉じていても切り欠き部２２５を通ることができるため、排水とシャッター２２１とは接触しにくい。そのため、シャッター２２１は、閉じている状態で排水から力を受けて開くおそれは少ない。したがって、シャッター２２１と、凹設部２２３の前端部２２３ｂと、の衝突音が発生するおそれは少ない。
【００３８】
より具体的に説明すると、排水がシャッター２２１に接触して力を与えると、シャッター２２１は、閉じる方向に付勢されているため、排水の水勢によっては開閉を繰り返すおそれがある。シャッター２２１が開閉を繰り返すと、突起部２２１ａと前端部２２３ｂとの当接が繰り返されるため、その当接のたびに不快な音（衝突音）が発生するおそれがある。これに対して、本実施形態にかかるトイレ装置では、排水とシャッター２２１とが接触するおそれは少ないため、その衝突音が発生するおそれは少ない。
【００３９】
そして、突壁２２４により水勢が抑制され、切り欠き部２２５を通った排水は、図６に表した矢印Ｄにように、ボウル内壁面１０１ａを伝って、封水としての溜水１１０に排出される。また、前述したように、凹設部２２３の前端部２２３ｂおよび切り欠き部２２５は、ボウル内壁面１０１ａからボウル１０１内に突出していない。そのため、凹設部２２３の前端２２３ｂ近傍におけるボウル内壁面１０１ａが、鉛直方向に設けられた場合であっても、排水は、図６に表した矢印Ｄにように、ボウル内壁面１０１ａを伝って溜水１１０に排出される。
【００４０】
これによれば、排水の流量が多い場合であっても、排水が溜水１１０に直接的に落ちて水跳ねすることを抑制することができる。また、排水は、ボウル内壁面１０１ａを伝って溜水１１０に排出されるため、本実施形態にかかるトイレ装置は、ボウル内壁面１０１ａで水跳ねすることを抑制することができる。さらに、排水が溜水１１０に直接的に落下することを抑制することができるため、排水が溜水１１０に落下したときに生ずる着水音の発生を抑制することができる。
【００４１】
これに対して、凹設部２２３に突壁２２４が設けられていない場合には、図６に表した矢印Ｅにように、ケーシング２００内に設置された機器からの排水は、直接的に溜水１１０に落下するおそれがある。あるいは、ケーシング２００内に設置された機器からの排水は、図６に表した矢印Ｆのように、ボウル内壁面１０１ａを伝うことなく、ボウル内壁面１０１ａに落下するおそれがある。凹設部２２３から排出された排水が、図６に表した矢印Ｅあるいは矢印Ｆにように、溜水１１０あるいはボウル内壁面１０１ａに落下すると水跳ねするおそれがある。排水が水跳ねすると、その水跳ねした水が便座に着座した使用者の臀部などに付着するおそれがあるため好ましくない。また、排水が溜水１１０に直接的に落下すると、着水音が生ずるため好ましくない。
【００４２】
次に、洗浄ノズル２４１と排水との関係について、図面を参照しつつ説明する。  
図７は、洗浄ノズルが収納された状態の凹設部の前端部近傍を表す断面模式図である。  なお、図７は、図１に表したＣ−Ｃ断面図に相当する。
【００４３】
本実施形態のノズルユニット２４０は、洗浄ノズル２４１を有し、一端部にはノズル洗浄室２４５を有する。ノズル洗浄室２４５は、その内部に設けられた吐水口２４５ｂ（図２参照）から切替弁２９２により供給された水を噴射することにより、洗浄ノズル２４１の外周表面を洗浄（胴体洗浄）することができる。また、ノズル洗浄室２４５は、洗浄ノズル２４１の進退時において、外周表面の洗浄を行う洗浄水が飛散することを抑制できる。洗浄ノズル２４１は、このノズル洗浄室２４５を貫通して進出または後退する。
【００４４】
胴体洗浄を行った洗浄水の少なくとも一部、あるいは望ましくはその大部分は、図２に関して前述した「排水」として、ノズル洗浄室２４５の下部に設けられた開口部２４５ａからケースプレート２２０の凹設部２２３に落下する。このとき、ノズル洗浄室２４５の開口部２４５ａは、図７に表したように、突壁２２４よりも後端部２２３ａ側に配置されているため、開口部２４５ａを通過した排水は、突壁２２４よりも後端部２２３ａ側に落下する。
【００４５】
一方、本実施形態のノズルユニット２４０は、洗浄ノズル２４１がノズル洗浄室２４５を貫通して進出する前に、そのノズル洗浄室２４５において、洗浄ノズル２４１の吐水口２４３の部分の洗浄（前洗浄）を行うことができる。これと同様にして、ノズルユニット２４０は、洗浄ノズル２４１がノズル洗浄室２４５を貫通して後退した後に、そのノズル洗浄室２４５において、洗浄ノズル２４１の吐水口２４３の部分の洗浄（後洗浄）を行うことができる。
【００４６】
このようにして前洗浄および後洗浄を行った洗浄水の少なくとも一部、あるいは望ましくはその大部分は、胴体洗浄を行った洗浄水と同様に、開口部２４５ａを通過した後、突壁２２４よりも後端部２２３ａ側の凹設部２２３に落下する。
【００４７】
続いて、突壁２２４よりも後端部２２３ａ側に落下した排水は、突壁２２４により水勢を抑制される。突壁２２４により水勢を抑制された排水は、図５に関して前述したように、切り欠き部２２５を通り、ボウル内壁面１０１ａを伝って溜水１１０に排出される。そのため、胴体洗浄や前洗浄や後洗浄を行った洗浄水の排水の流量が多い場合であっても、排水が溜水１１０に直接的に落ちて水跳ねすることを抑制することができる。また、これらの排水は、ボウル内壁面１０１ａを伝って溜水１１０に排出されるため、本実施形態にかかるトイレ装置は、ボウル内壁面１０１ａで水跳ねすることを抑制することができる。
【００４８】
なお、ケースプレート２２０の凹設部２２３と、便器１００の凹部１０３と、の間には、図７に表したように、弾性を有する弾性体１０７が設けられている。この弾性体１０７は、凹設部２２３の前端部２２３ｂを支持するとともに、ケースプレート２２０の凹設部２２３と、便器１００の凹部１０３と、の間の液密性を確保している。つまり、弾性体１０７は、ケースプレート２２０の凹設部２２３と、便器１００の凹部１０３と、の間に小水などが侵入することを防止している。なお、この弾性体１０７は、ケースプレート２２０の前縁に沿って、便器１００の上面１０５にも配置され、ケースプレート２２０と便器１００の上面１０５との間の液密性を確保し、小水などが浸入することを防止している。
【００４９】
図８は、洗浄ノズルがケーシングから進出した状態の凹設部の前端部近傍を表す断面模式図である。  
なお、図８は、図１に表したＣ−Ｃ断面図に相当する。  
洗浄ノズル２４１は、図８に表したように、ノズル洗浄室２４５を貫通して進出し、シャッター２２１を押し上げてボウル１０１内に進出できる。このとき、洗浄ノズル２４１の少なくとも一部は、ケースプレート２２０の凹設部２２３の底部に近接しているが、前端部２２３ｂには切り欠き部２２５が設けられているため、洗浄ノズル２４１と、切り欠き部２２５の後端部２２５ａと、の間の距離は、排水の排出に関しては十分に確保されている。
【００５０】
そのため、ケーシング２００内に設置された機器からの排水は、洗浄ノズル２４１に接触するおそれは少ない。さらに、排水は、凹設部２２３に設けられた突壁２２４により水勢を抑制されているため、凹設部２２３から勢いよく飛び出して洗浄ノズル２４１に接触するおそれは少ない。そのため、排水は、洗浄ノズル２４１を伝って溜水１１０に落下したり、ボウル内壁面１０１ａに落下するおそれは少ない。これにより、本実施形態にかかるトイレ装置は、洗浄ノズル２４１を伝った排水が、溜水１１０やボウル内壁面１０１ａで水跳ねすることを抑制することができる。
【００５１】
これに対して、凹設部２２３に突壁２２４や切り欠き部２２５が設けられていない場合には、排水は洗浄ノズル２４１に接触するおそれがある。洗浄ノズル２４１に接触した排水は、洗浄ノズル２４１の先端部側（吐水口２４３側）へ伝っていくおそれがある。進出した状態の洗浄ノズル２４１の先端部は、溜水１１０の上側に配置されるため、洗浄ノズル２４１を伝った排水は、直接的に溜水１１０に落下するおそれがある。排水が直接的に溜水１１０に落下して水跳ねすると、その水跳ねした水が便座に着座した使用者の臀部などに付着するおそれがあるため好ましくない。
【００５２】
次に、「排水」が排出されるタイミングについて、図面を参照しつつ説明する。  
図９は、本実施形態にかかるトイレ装置の動作の一例を表すタイミングチャートである。  
チャートＡは、使用者の便座への着座を着座センサ２１５が検知しているか否かの状態を表し、チャートＢは、給水バルブユニット２７０の電磁弁２７４の開閉状態を表す。また、チャートＣは、洗浄用ポンプ２９１の駆動状態を表し、チャートＤは、洗浄ノズル２４１の位置を表し、チャートＥは、切替弁２９２の吐水位置を表す。
【００５３】
トイレ装置の待機状態から、タイミングｔ１で着座センサ２１５が使用者の便座への着座を検知すると、使用者によるリモコンでの運転モード選択に待機する。タイミングｔ２で使用者が「ビデ」スイッチを操作すると、図示しない制御部は電磁弁２７４を開弁して開放式タンク２８０への給水を開始させる。これにより開放式タンク２８０内に水を貯留させ、洗浄ノズル２４１からの水の吐出に備える。このとき、開放式タンク２８０が満水となり、開放式タンク２８０内に貯留されている水の水位が上昇してＨ２（図２参照）を越えると、排水として凹設部２２３からボウル１０１内に排出される。また、電磁弁２７４の開弁と同時に切替弁２９２を全吐水口から吐水する位置に切り替え、その後少し遅れて洗浄ポンプ２９１の駆動を開始させ、開放式タンク２８０内の洗浄水を洗浄ノズル２４１に供給して、洗浄ノズル２４１の吐水口２４３の部分の前洗浄を行う。このときの洗浄水は、図７に関して前述したように、ノズル洗浄室２４５の開口部２４５ａを通って凹設部２２３からボウル１０１内に排水として排出される。すなわち、タイミングｔ２とタイミングｔ３との間において、排水が排出される。
【００５４】
続いて、図示しない制御部は、タイミングｔ３で切替弁２９２を胴体洗浄位置（ノズル洗浄室２４５の吐水口２４５ｂから吐水する位置）に切り替えて、その後ノズルユニット２４０に設けられたノズル駆動装置を駆動させ、洗浄ノズル２４１をケーシング２００内から「ビデ」に対応する位置まで進出させる。このとき、洗浄ノズル２４１の進出中に、ノズル洗浄室２４５の内部において洗浄ノズル２４１の胴体洗浄が行われる。このときの洗浄水は、図７に関して前述したように、ノズル洗浄室２４５の開口部２４５ａを通って凹設部２２３からボウル１０１内に排水として排出される。
【００５５】
続いて、タイミングｔ４で切替弁２９２をビデ吐水位置に切り替えて、タイミングｔ５にかけて洗浄用ポンプ２９１の駆動によって供給される水の流量（水勢）を５段階で増加させる。これにより、洗浄ノズル２４１の吐水口２４３から徐々に勢いを増す水が吐出される。このとき、図示しない制御部は開放式タンク２８０への給水を継続して行い、常に開放式タンク２８０のオーバーフロー口２８３から余剰水を排出するようにして開放式タンク１８０の満水状態を維持する。そのため、タイミングｔ４とタイミングｔ５との間においても、排水が排出される。
【００５６】
タイミングｔ６で使用者がリモコンの「停止」スイッチを操作すると、図示しない制御部は、切替弁２９２を胴体洗浄位置に切り替えた後にノズル駆動手段を駆動させ、洗浄ノズル２４１をケーシング２００内に収納する。このときにも、進出中の胴体洗浄と同様に、洗浄ノズル２４１の後退中に、ノズル洗浄室２４５の内部において洗浄ノズル２４１の胴体洗浄が行われる。このときの洗浄水は、ノズル洗浄室２４５の開口部２４５ａを通って凹設部２２３からボウル１０１内に排水として排出される。
【００５７】
タイミングｔ７で洗浄ノズル２４１がケーシング２００内に収納されると、進出前の前洗浄と同様にして、切替弁２９２を全吐水口から吐水する位置に切り替えて、洗浄ノズル２４１の吐水口２４３の部分の後洗浄を行う。このときの洗浄水は、ノズル洗浄室２４５の開口部２４５ａを通って凹設部２２３からボウル１０１内に排水として排出される。
【００５８】
以上のように、本実施形態にかかるトイレ装置では、タイミングｔ２からタイミングｔ８までの間において、排水が凹設部２２３からボウル１０１内に排出される。
【００５９】
次に、シャッター２２１近傍の構造について、図面を参照しつつ説明する。  
図１０は、本実施形態のシャッター近傍を表す斜視模式図である。  
また、図１１は、シャッターとケースプレートとの取付構造を表す斜視模式図である。  なお、図１１（ａ）は、シャッターがケースプレートに取り付けられる前の状態を表す斜視模式図であり、図１１（ｂ）は、シャッターがケースプレートに取り付けられた後の状態を表す斜視模式図である。
【００６０】
シャッター２２１は、凹設部２２３の前端部２２３ｂを覆うように、ケースプレート２２０に取り付けられている。一方、便器１００の凹部１０３の前端部１０３ｂは、図４に表したように、段形状に形成されている。そして、シャッター２２１は、凹部１０３の前端部１０３ａの段差部に収まるように設けられている。そのため、ボウル１０１側のシャッター２２１の表面は、図１０に表したように、ボウル内壁面１０１ａと略同一面となっている。これによれば、ボウル内壁面１０１ａやシャッター２２１の表面を掃除しやすいなどといった効果を得ることができる。
【００６１】
また、シャッター２２１は、ケースプレート２２０に対して回動自在に軸支されている。より具体的に説明すると、ケースプレート２２０は、図１１（ａ）に表したように、凹設部２２３の前端部２２３ｂの上側に軸受部２２７を有する。そして、軸２２８は、この軸受部２２７により支持されている。また、軸２２８には、シャッター２２１を付勢する付勢部材２２９が取り付けられている。この付勢部材２２９としては、例えば、いわゆる「ねじりコイルばね」などが挙げられる。
【００６２】
一方、シャッター２２１は、ボウル１０１とは反対側の表面に嵌合部２２１ｂを有する。この嵌合部２２１ｂは、ケースプレート２２０に取り付けられた軸２２８を受ける軸穴部を有しており、その少なくとも一部には、軸２２８を軸穴部に無理入れ可能な切り欠き部を有する。そのため、図１１（ａ）に表した状態、すなわちケースプレート２２０の軸受部２２７に軸２２８が取り付けられた状態から、シャッター２２１の嵌合部２２１ｂを軸２２８に嵌合させることができる。これにより、シャッター２２１は、軸２２８を中心としてケースプレート２２０に対して回動自在に軸支される。
【００６３】
このとき、シャッター２２１に設けられた突起部２２１ｃは、付勢部材２２９に当接している。そして、この突起部２２１ｃは、付勢部材２２９によりシャッター２２１を閉じる方向に力を受けている。そのため、シャッター２２１は、付勢部材２２９により閉じる方向に付勢されている。したがって、シャッター２２１は、洗浄ノズル２４１などから力を受けていないときには、図１０に表したような閉止状態となっている。これにより、小水などがケースプレート２２０の凹設部２２３の方に侵入することを抑制することができる。
【００６４】
以上説明したように、本実施形態によれば、ケースプレート２２０の凹設部２２３には、ケーシング２００の内部から外部に排出される排水の水勢を抑制する流出水勢抑制板（突壁）２２４が設けられている。そのため、ケーシング２００内に設置された機器からの排水は、水勢を抑制された状態でボウル１０１内に排出されるため、ボウル内壁面１０１ａを伝って溜水１１０に排出される。これによれば、本実施形態にかかるトイレ装置は、排水の流量が多い場合であっても、排水がボウル１０１内で水跳ねすることを抑制することができる。  
また、凹設部２２３の前端部２２３ｂには切り欠き部２２５が設けられているため、ケーシング２００内に設置された機器からの排水は、洗浄ノズル２４１を伝うことなく、ボウル内壁面１０１ａを伝って溜水１１０に排出される。これによっても、本実施形態にかかるトイレ装置は、排水がボウル１０１内で水跳ねすることを抑制することができる。
【００６５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ケーシング２００やノズルユニット２４０などが備える各要素の形状、寸法、材質、配置などやシャッター２２１の設置形態などは、例示したものに限定されるわけではなく適宜変更することができる。また、例えば、洗浄ノズル２４１は、可動部が２本以上の多段式ノズルであってもよいし、可動部がノズルヘッドのみの単段式ノズルであってもよい。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００６６】
【図１】本発明の実施の形態にかかるトイレ装置を表した斜視模式図である。
【図２】本実施形態にかかるトイレ装置の水路構成を表すブロック図である。
【図３】本実施形態のケースプレートを上方から眺めた平面模式図である。
【図４】本実施形態の便器を表す斜視模式図である。
【図５】ケースプレートの凹設部の前端部近傍を表す模式図である。
【図６】本実施形態にかかるトイレ装置を側方から眺めた断面模式図である。
【図７】洗浄ノズルが収納された状態の凹設部の前端部近傍を表す断面模式図である。
【図８】洗浄ノズルがケーシングから進出した状態の凹設部の前端部近傍を表す断面模式図である。
【図９】本実施形態にかかるトイレ装置の動作の一例を表すタイミングチャートである。
【図１０】本実施形態のシャッター近傍を表す斜視模式図である。
【図１１】シャッターとケースプレートとの取付構造を表す斜視模式図である。
【符号の説明】
【００６７】
１００ 便器、  １０１ ボウル、  １０１ａ ボウル内壁面、  １０３ 凹部、  １０３ａ 後端部、  １０３ｂ 前端部、  １０５ 上面、  １０７ 弾性体、  １１０ 溜水、  １８０ 開放式タンク、  ２００ ケーシング、  ２１０ ケースカバー、  ２１１、２１３ 軸支部、  ２１５ 着座センサ、  ２２０ ケースプレート、  ２２１ シャッター、  ２２１ａ 突起部、  ２２１ｂ 嵌合部、  ２２１ｃ 突起部、  ２２３ 凹設部、  ２２３ａ 後端部、  ２２３ｂ 前端部、  ２２４ 突壁、  ２２４ａ 後面、  ２２５ 切り欠き部、  ２２５ａ 後端部、  ２２６ 支持部、  ２２７ 軸受部、  ２２８ 軸、  ２２９ 付勢部材、  ２４０ ノズルユニット、  ２４１ 洗浄ノズル、  ２４３ 吐水口、  ２４５ ノズル洗浄室、  ２４５ａ 開口部、  ２４５ｂ 吐水口、  ２５０ 熱交換器、  ２５１ ヒータ、  ２５２ 出湯口、  ２５６ フロートスイッチ、  ２７０ 給水バルブユニット、  ２７１ 逆止弁、  ２７２ ストレーナ、  ２７３ 定流量弁、  ２７４ 電磁弁、  ２８０ 開放式タンク、  ２８１ 流入口、  ２８２ 流出口、  ２８３ オーバーフロー口、  ２９１ 洗浄用ポンプ、  ２９２ 切替弁、  ５００ 水道管、  ５０１ 止水栓、  ５０２ フレキホース、  ５０３ 入口配管、  ５０４ 出口配管
【図１】
2010116729.tif 000003
【図２】
2010116729.tif 000004
【図３】
2010116729.tif 000005
【図４】
2010116729.tif 000006
【図５】
2010116729.tif 000007
【図６】
2010116729.tif 000008
【図７】
2010116729.tif 000009
【図８】
2010116729.tif 000010
【図９】
2010116729.tif 000011
【図１０】
2010116729.tif 000012
【図１１】
2010116729.tif 000013